(57)【要約】【課題】被設置部への取り付け作業やメンテナンス作業を向上できる照明器具を提供する。【解決手段】本発明の実施形態は、光源部と、電源に接続される異なる極性の電極部を有し、この電極部に前記光源部が電気的に接続されて前記光源部への給電及び前記光源部の機械的な保持を行う給電側取付部材と、前記給電側取付部材と対向するように設けられ、前記光源部の機械的な保持を行う固定側取付部材と、を具備する。【選択図】図１
2018113136.tif 000002
【特許請求の範囲】
【請求項１】
面状の光源部と；
電源に接続される異なる極性の電極部材を有し、前記電極部材が前記光源部と電気的に接続されて前記光源部への給電及び前記光源部の機械的な保持を行う給電側取付部材と；
前記給電側取付部材と対向するように設けられ、前記光源部の機械的な保持を行う固定側取付部材と；
を具備する照明器具。
【請求項２】
一端側に電極部を有する前記光源部と；
前記電極部と電気的に接続されて前記光源部に取付けられる給電側保持部材と；
前記給電側保持部材が電気的かつ機械的に係合可能な凹部を有する前記給電側取付部材と；
を具備する請求項１に記載の照明器具。
【請求項３】
前記光源部の他端側に取付けられて前記固定側取付部材に係合する引っかけ部材と；
前記引っかけ部材と前記固定側取付部材との係合を解除する解除手段と；
を有する請求項１または請求項２に記載の照明器具。
【請求項４】
前記給電側取付部材の長手部方向の一端側に形成された凸形状部と；
前記給電側取付部材の長手部方向の他端側に形成され、前記凸形状部と電気的かつ機械的に接続可能な凹形状部と；
を具備する請求項１から請求項３いずれか一項に記載の照明器具。
【請求項５】
前記光源部は複数の発光部材から構成されており、前記給電側保持部材は複数の前記発光部材と電気的に接続される導電性部材と；
前記給電側取付部材に電気的に接続して前記導電性部材に電源を供給する一対の電極端子と；
を有する請求項１から請求項４のいずれか一項に記載の照明器具。
【請求項６】
前記導電性部材は、前記光源部を保持する部位が弾性部材として形成される請求項５に記載の照明器具。
【請求項７】
前記一対の電極端子は、前記給電側取付部材と機械的に係合する形状の絶縁性部材で覆われている請求項５または請求項６に記載の照明器具。
【発明の詳細な説明】
【技術分野】
【０００１】
本発明の実施形態は、被設置部に設けられる取付部材に光源部を取付ける照明器具に関する。
【背景技術】
【０００２】
近年、低消費力、高効率化、長寿命化及び薄型化が可能な光源としてLED（発光ダイオード）や有機EL（エレクトロルミネッセンス）素子層を用いた面状光源が開発されている。このような光源は、屋内用や屋外用として各種照明器具に用いられることが考えられている。
【０００３】
従来、例えば天井面に配設されるスポットライトなどの照明器具をライティングダクトに取付ける場合がある。この場合、ライティングダクトへの取り付け方法は、照明器具側に設けられたプラグをライティングダクトに嵌め込み、プラグを回転させることにより行われる。これにより、照明器具はライティングダクトに給電状態で保持される。また、先行技術文献である特許文献１では、＋電極が備えられた第１のレールおよび−電極が備えられた第２のレールに抜け防止手段を備えた器具前面側から背面側方向へ面光源を取付ける照明器具が示されている。  
【先行技術文献】
【特許文献】
【０００４】
【特許文献１】特開1011−008918号公報
【発明の概要】
【発明が解決しようとする課題】
【０００５】
しかしながら、薄型の器具では、前記ライティングダクトのような照明取付器具への取り付けは困難であった。さらに特許文献１のような薄型光源を複数並設する器具では、薄型で平板状の光源の一端および前記一端と対向する向きの他端に電源を供給するダクトレールが電気的に接続される。このとき一端に取付られる第１レールと他端に取り付けられる第２レールにおいては一端側が＋極、他端側が−極の電線を有している。このような器具を配設した場合、配線が陽極側と陰極側、つまり、一端側のダクトレールと他端側のダクトレールに分かれるため配線接続関係が複雑になるという課題があった。
【発明の効果】
【０００６】
本発明の実施形態によれば、施工効率が上がるとともにメンテナンスも容易となる。
【課題を解決するための手段】
【０００７】
これらの課題を解決するために、本発明の実施形態は、光源部と、電源に接続される異なる極性の電極部を有し、この電極部に前記光源部が電気的に接続されて前記光源部への給電及び前記光源部の機械的な保持を行う給電側取付部材と、前記給電側取付部材と対向するように設けられ、前記光源部の機械的な保持を行う固定側取付部材と、を具備する。
【図面の簡単な説明】
【０００８】
【図１】本発明の実施形態の照明器具の背面側を示す斜視図である。
【図２】本発明の実施形態の照明器具の前面側を示す斜視図である。
【図３】本発明の実施形態である給電側取付部材の背面側を示す斜視図（上）、正面図（左下）および右側面図（右下）である。
【図４】本発明の実施形態における光源部を示す背面図である。
【図５】図４における給電側保持部材に保持される光源部の一部を示す側面図である。
【図６】本発明の実施形態における給電側保持部材の背面側を示す斜視図である。
【図７】本発明の実施形態における給電側保持部材を示す側面図である。
【図８】図２における給電側取付部材と光源部の係合部分を示す側面図である。
【図９】図２における固定側取付部材と光源部との係合部分を示す斜視図である。
【図１０】固定側取付部材と光源部とを係合する引っかけ部材を示す斜視図である。
【図１１】本発明の実施形態である照明器具を複数接続する場合の背面側を示す斜視図である。
【図１２】給電側保持部材の変形例を示す斜視図である。
【図１３】給電側取付部材の変形例を示す斜視図（上）、正面図（左下）、および側面図（右下）である。
【図１４】光源部を構成する発光部材を示す背面図である。
【発明を実施するための形態】
【０００９】
以下、図１ないし図１３を参照して本発明の実施形態について説明する。
【００１０】
本発明の実施形態では、バスや電車等の車両における車内灯として用いられる照明器具を示している。なお、各図において同一部分には同一符号を付し、重複した説明は省略する。また、天井面等の被設置部側を背面側とし、照明器具からの光の照射側を前面側として説明する。
【００１１】
本発明の実施形態である照明器具は、図１に示すように車両の天井面等の被設置部に取付けられる長尺状の一対の取付部材と、この一対の取付部材に取付けられる一対の保持部材と、この一対の保持部材に保持される光源部1とを備えている。一対の取付部材は、給電側取付部材3と固定側取付部材4とから構成されている。
【００１２】
給電側取付部材3は、図３および図８に示すように、内側の長手部方向に延伸する絶縁台33が設けられている。この絶縁台33は正面（図３、左下）側から見て略台形状に形成されており、内部に異なる極性の一対の電極部材である電極レール（陽極レール331、陰極レール332）が略並行して配設されている。    
【００１３】
また、図３に示すように、この一対の電極レールと後述する陽極端子51および陰極端子52を接続するための接続端子部31が設けられている。
【００１４】
給電側取付部材3は、電源に電気的に接続されるとともに、光源部1の一端側に電気的及び機械的に接続される後述する給電側保持部材5を介して光源部1に電力を供給する。
【００１５】
固定側取付部材4は、図１、図２および図９に示すように、給電側取付部材3と対向する向きに光源部1および光源部1の端部に機械的に接続している固定側保持部材6と係合されている。
【００１６】
また、給電側取付部材3および固定側取付部材4は、図１および図２に示すように複数の発光部材11を並列して取り付けられる長さに形成され、例えば１つの給電側取付部材3に接続する３枚の発光部材11を光源部1とすることができる。
【００１７】
光源部1は有機ELなどの発光素子を備えた、例えば矩形平板状の発光部材11が複数並設、具体的には３枚が並設されて構成されている。また、図１、図２および図４に示すように、発光部材11間には長手部方向の側面に係合される略工字状断面の緩衝材2が設けられている。緩衝材2は、ゴムやシリコンのような弾性絶縁部材によって形成されており、複数の発光部材11の間に設けることにより、車両などの揺れや衝撃を受けやすい環境に強く、光源部1を同様の大きさの一枚の発光部材11によって形成した場合に比べ、割れや歪みといった不具合が生じにくいという利点がある。
【００１８】
また、図１４に示すように、各発光部材11の長手部方向の一端には陽極および陰極の電極部111（図５および図８で光源部1背面側に配設され、保持部材5に接触している）を備えている。各発光部材11が給電側保持部材5に差し込まれて取付けられる際、各電極部111に、図７に示すような板バネ状に形成された給電側保持部材5の内部に設けられた導電性部材53が機械的および電気的に接続される。また、図４、図５および図６に示すように、導電性部材53は導電性部材固定部材55と給電側保持部材5の間に配設され、導電性部材固定部材55が給電側保持部材5の背面側にネジ止めされるなどして固定される。
【００１９】
この板バネ状に形成された導電性部材53によって電極部111が挟まれることにより、光源部1は強固に保持されるとともに電極部111と導電性部材53が密着して接着する。これにより、電導効率の向上につながる。また、光源部1の保持も導電性部材53によって行われるため、別個に保持構造を設ける必要がなく、部品点数および工数の削減につながる。
【００２０】
光源部1は、電極部111を有する一端側に給電側保持部材5が接続され、前記給電側保持部材5と光源部1を挟んで対向する他端側に固定側保持部材6がネジ止めなどにより接続されている。
【００２１】
図７に示すように、給電側保持部材5は樹脂などの絶縁部材によって略コの字形状に形成される。前記導電性部材53は、給電側保持部材5に覆われるように配設されている。また、この略コの字形状に形成された給電側保持部材5の内部には、発光部材11が差し込まれる位置に板バネ状に形成された導電性部材53が露出している。複数の発光部材11をこの給電側保持部材5に差し込んで接続する際、照明器具の外縁部にあたる側面に補強材を設けて器具の強度を高めてもよい。
【００２２】
また、図７に示すように、給電側保持部材5は複数の発光部材11が電気的に接続可能なように内部に配線された導電性部材53を有する。例えば図６に示す給電側保持部材5は、３枚の発光部材11を接続可能なように形成されており、陽極導電性部材531と陰極導電性部材532が近接して一対に、３箇所（図６上で、左下、中心、右上）設けられている。この近接して一対の異なる極性の導電性部材53（陽極導電性部材531、陰極導電性部材532）が設けられている箇所がそれぞれ発光部材11の電極部111と接続される。
【００２３】
さらに、図４および図５に示すように、給電側保持部材5は、給電側取付部材3内部と接続される外部側面に、突出した異なる極性の一対の電極端子（陽極端子51、陰極端子52）を備えている。この陽極端子51および陰極端子52が、図３および図８に示すように給電側取付部材3の接続端子部31に差し込まれ、内部に備えられた陽極レール331および陰極レール332と電気的に接続されることにより、給電側保持部材5および固定側保持部材6が接続された光源部1には電源が供給される。
【００２４】
この構造により、複数の発光部材11を接続しても給電側保持部材5と給電側取付部材3とを電気的に接続する電極端子は、陽極端子51および陰極端子52の一対を設ければよく、煩雑な配線コードが不要となるため、施工性の向上および器具の小型化が可能となる。
【００２５】
図１２は給電側保持部材5の変形例を示す図である。
【００２６】
図１３は、図１２に示される給電側保持部材5と係合して電気的かつ機械的に接続する給電側取付部材3の変形例を示す図である。
【００２７】
以下、陽極端子51、陰極端子52、および接続端子部31の変形例を図１２、図１３を参照して説明する。本発明の実施形態の変形例である陽極端子51および陰極端子52は樹脂等の絶縁性部材で覆われている。また、変形例である給電側保持部材5は、発光部材11を保持している側と対向する側面が凸形状に形成されている。接続端子部31をそれに対応する凹形状に形成することにより、陽極端子51および陰極端子52の外圧による変形を抑制できるとともに、接続位置が施工者に視認しやすくなることで施工性が向上する。
【００２８】
次に、図８ないし図１０を参照して実施形態の照明器具における給電側保持部材5および固定側保持部材6が接続された光源部1が固定側取付部材4と接続する部位について説明する。
【００２９】
光源部1は給電側保持部材5と対向する端部の前面側に、図９に示すような略凸字状側面となるような長尺形状の金属性部材である固定側保持部材6が接続される。固定側保持部材6が金属製であることにより熱による変形が少なく、照明器具の設置場所付近で火災などが起こった際にも光源部1を保持し続けられるという利点がある。
【００３０】
固定側保持部材6には一定の間隔で図８および図９に示すような複数の引っかけ部材7が係合して設けられる。引っかけ部材7の背面側に設けられた略レの字状の突起71は後述する引っかけ係合孔41から露出するように配設される。また、引っかけ部材7の前面側に設けられたツマミ部72は、固定側保持部材6の前面側から露出するように配設される。
【００３１】
具体的には、固定側保持部材6には、ツマミ部72を図１０に示すような矢印方向に摺動操作可能な長孔が設けられる。また、固定側保持部材6と対応する長さの長尺状かつ略L字状側面となるよう形成された固定側取付部材4の長手部方向側面には、それぞれの突起71が係合する引っかけ係合孔41が設けられている。
【００３２】
ツマミ部72は引っかけ部材7における突起71の引っかけ係合孔41に対する係合解除手段として設けられている。ツマミ部72は、光源部1を取り外すときに図１０に示す矢印方向に摺動操作することにより、突起71を引っかけ係合孔41から外すことが可能な構造として形成される。これにより、給電側保持部材5および固定側保持部材6が接続された光源部1の取り付けおよび取り外しが容易となり、施工の効率が高まる。
【００３３】
このとき、かならずしも引っかけ部材7は複数設けられなくともよい。また、複数設けられる場合も引っかけ部材7の数は２つに限らない。引っかけ部材7を係合させる位置も図７に示す位置でなくともよく、引っかけ部材7が固定側保持部材6と一体に形成される構造としてもよいし、引っかけ部材7が固定側取付部材4と一体に形成され、固定側保持部材6に引っかけ係合孔41が形成されて固定側取付部材4および固定側保持部材6が係合する構造としてもよい。
【００３４】
また、複数の引っかけ部材7を設ける場合、複数の引っかけ部材7それぞれが異なる大きさや形状であってもよく、例えば引っかけ部材7の突起71が片側側面のみでなく、両側側面に設けられて略矢印状に形成されていてもよい。その場合、引っかけ係合孔41は、側面方向に貫通するような孔ではなく、略矢印状の突起71が両側とも係合するような構造を備えた凹部が固定側取付部材4の前面側から背面側に向かってへこむように設けられていてもよい。
【００３５】
固定側取付部材4の内部に電極レール等の配線部材が設けられていないため、このような係止構造である引っかけ部材7、引っかけ係合孔41および引っかけ部材7の解除手段であるツマミ部72を設けるのに十分な空間が確保できる。
【００３６】
さらに、給電側取付部材3および固定側取付部材4の前面は、光源1の端部前面に一部がかかるような形状に延伸させて光源部1の位置固定および落下防止の効果を高めてもよいし、同様の効果を得るために給電側取付部材3および固定側取付部材4の前面に光源部1の前面端部にかかるような追加の部材を設けてもよい。
【００３７】
また、図３に示すように、給電側取付部材3は給電側保持部材5を側面から挿し込むようにして嵌合することが可能な凹部32を有する。凹部32の形状は給電側保持部材5の陽極端子51および陰極端子52の突出している側面から背面（図５上では、左側面から上部）にわたる形状と凹凸が合致するように形成されている。好ましい形態としては、凹部32および給電側保持部材5の嵌合側側面が略同心円状となるように円弧状C（図８参照）に形成されている。この構造によれば、部材同士の接触が滑らかになることで係合させやすく施工性が高まるとともに、部材間の接触損傷を抑えることが可能となり、照明器具の劣化進行を抑えられ、取付部材の破損による光源部1の落下事故などが防止できる。また、給電側保持部材5または導電性部材固定部材55に略L字形状の係止構造を設け、それに対応して係合する係合孔を凹部32内部に設けることにより、給電側取付部材3への光源部1の係合固定効果を高めてもよいし、正確に係合した際に施工者がクリック感を得られる構造をとって施工が安全かつ容易に行われるようにしてもよい。
【００３８】
給電側保持部材5は、発光部材11を複数接続した際、それぞれの発光部材11に設けられた電極部111の陽極と陰極が、それぞれ一括的に陽極端子51および陰極端子52に接続されるような導電性部材による内部配線を備える。この構造により、給電側取付部材3に発光部材11を複数接続しても配線が煩雑にならず、発光部材11も割れや歪みの生じにくい強度を保てる大きさで形成することが可能なため、安価で耐久性に優れた器具を提供できる。
【００３９】
また、これら一対の取付部材の構成により、給電側保持部材5および固定側保持部材6が接続された光源部1を照明器具に取り付ける際、給電側取付部材3に側面から差し込むように接続して一端側の位置を固定した後に、前記一端側を支点として他端側が弧を描くようにして固定側取付部材4に係合されるので、光源部1の位置決めを正確に定めずとも容易に取付器具に取付けることが可能となる。
【００４０】
さらに、給電側取付部材3が内部に異なる極性の陽極レール331および陰極レール332を備えていることにより、図１１のように本発明の実施形態である照明器具が複数接続される場合にも電源の供給は全て給電側取付部材3と接続する光源部1の一端部でのみ行われる。これにより、従来は光源が取付器具と接続される両端部の内一方に陽極、他方に陰極として配線していた手間が省かれる。加えて光源部1は、電極部111を備える一端側さえ給電側取付部材と係合していれば給電されて発光することが可能であるため、照明器具が取り付けられたバスや電車などの車両が障害物に衝突するなどして大きな衝撃を受けた場合、固定側取付部材が破損して外れたとしても照明器具としての機能を失わないという利点を有する。また、給電側取付部材3と固定側取付部材4は給電と固定という機能を別個に有しているため、一対の取付部材の内の片側が破損した際には器具全体ではなく破損した側のみを取り替えればよく、メンテナンスが容易である。
【００４１】
次に、本発明の実施形態である照明器具を被設置面に取付ける際の手順を説明する。
【００４２】
まず、光源部1の一端に設けられた電極部111に給電側保持部材5を接続し、他端側に固定側保持部材6および引っかけ部材7を係合する。給電側保持部材5、および固定側保持部材6は、一定の間隔で設けられた複数のネジ孔8にネジ止めするなどして光源部1に固定して取付けられる。
【００４３】
次に、電車やバスといった車両の天井面等である被設置面に、給電側取付部材3および固定側取付部材4の背面を略接触させて取付ける。給電側取付部材3と固定側取付部材4は、これらの間に給電側保持部材5および固定側保持部材6を接続した光源部1を保持するための所定の間隔を空けて向かい合うように設置される。また、給電側取付部材3の陽極レール331および陰極レール332は別置の電源に電気的に接続される。
【００４４】
その後、光源部1に係合した給電側保持部材5を給電側取付部材3の凹部32に側面から挿入して嵌合させる。それに伴い、陽極端子51および陰極端子52を、陽極レール331および陰極レール332と電気的かつ機械的に接続させる。
【００４５】
そして、固定側取付部材4の側面に一定の間隔を設けて配設された引っかけ係合孔41に、固定側保持部材6とともに光源部1に係合させた引っかけ部材7を、それぞれ前面側から背面側方向へ押し込むようにして係合させる。
【００４６】
取付けの際、被設置面と器具背面の間に一定の空間を設けることや冷却装置を設けることにより照明器具の放熱性を高め、発光素子の照射効率の低減を防止するような構造をとってもよい。また、光源部1の前面を覆うような透光性のカバーを設けて不快なまぶしさを低減する構造をとってもよい。
【００４７】
次に、図１１を参照して本発明の実施形態である照明器具を複数接続する場合について説明する。
【００４８】
本発明の実施形態である照明器具を複数接続させて直線状に並設する場合には、図３に示すように給電側取付部材3の長手部方向一端に形成された凸形状部34と、それに電気的かつ機械的に結合するよう設けられた別の給電側取付部材3の長手部方向他端側である凹形状部35を接続する。この構造により、電車やバスのような車体の長い車両の天井にも長さに応じた数の照明器具を容易に設置することが可能となるとともに、凹凸形状の係合により、振動への耐久性向上も期待できる。
【００４９】
このとき、凸形状部34および凹形状部35は図３に示すような前面−背面方向に向けて嵌合する凹凸以外に、水平方向に嵌合させて接続する凹凸が設けられていてもよい。また、同様に固定側取付部材4も長手部方向一端が凸形状、他端側がそれに係合する凹形状として形成されて複数の照明器具間の接続を容易かつ強固なものとしてもよい。
【００５０】
また、給電側取付部材3および固定側取付部材4の、給電側保持部材5および固定側保持部材6と接続しない側の側面同士を略接着させた構造を一体として形成した取付器具を設け、電極レールの延伸方向のみでなく電極レールと略直交する方向に光源部1を連続接続させることが可能な器具としてもよい。
【００５１】
ここまで、本発明における実施形態の内、給電側取付部材3および固定側取付部材4が別個に形成されている場合の説明を行ったが、給電側取付部材3および固定側取付部材4は光源部1の背面を覆うように一体として形成されていてもよい。これにより、光源部1と対応した間隔を空けて給電側取付部材3および固定側取付部材4を設置することが簡易になる。また、一対の取付部材を一体として形成することにより、給電側取付部材3および固定側取付部材4を混同することがなくなり、部材管理の手間が省けるとともに設置のミスもなくなる。
【００５２】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等に含まれる。
【符号の説明】
【００５３】
1…光源部
11…発光部材
111…電極部
2…緩衝材
3…給電側取付部材
31…接続端子部
32…凹部
33…絶縁台
331…陽極レール
332…陰極レール
34…凸形状部
35…凹形状部
4…固定側取付部材
41…引っかけ係合孔
5…給電側保持部材
51…陽極端子
52…陰極端子
53…導電性部材
531…陽極導電性部材
532…陰極導電性部材
54…挿入部
55…導電性部材固定部材
6…固定側保持部材
7…引っかけ部材
71…突起
72…ツマミ部
8…ネジ孔
【図１】
2018113136.tif 000003
【図２】
2018113136.tif 000004
【図３】
2018113136.tif 000005
【図４】
2018113136.tif 000006
【図５】
2018113136.tif 000007
【図６】
2018113136.tif 000008
【図７】
2018113136.tif 000009
【図８】
2018113136.tif 000010
【図９】
2018113136.tif 000011
【図１０】
2018113136.tif 000012
【図１１】
2018113136.tif 000013
【図１２】
2018113136.tif 000014
【図１３】
2018113136.tif 000015
【図１４】
2018113136.tif 000016